(57)【特許請求の範囲】
【請求項１】
間隙を空けて互いに対向して配置される第１のシート及び第２のシートと、
前記第１のシートが有する主面であって、前記第２のシートと対向する第１の主面に形成された第１の導電路と、
前記第２のシートが有する主面であって、前記第１のシートと対向する第２の主面に形成されており、前記第１のシートの法線方向から見て前記第１の導電路から離間した第２の導電路と、
前記第２の導電路に電気的に接続して前記第２の主面に形成されており、前記法線方向から見て前記第１の導電路と交差する押圧検知用導電路と、
前記第１の導電路に電気的に接続して前記第１の主面に形成されており、前記法線方向から見て、前記押圧検知用導電路が前記第１の導電路と交差する箇所から前記押圧検知用導電路と重なり合う部分を含んで延びる押圧検知補助導電路と
を備えるタッチパネル。
【請求項２】
複数の前記押圧検知用導電路と、複数の前記押圧検知補助導電路とを備える
請求項１に記載のタッチパネル。
【請求項３】
前記第１の導電路は、前記法線方向から見て、前記複数の押圧検知補助導電路のうち互いに隣接する少なくとも１組の間に抵抗部を含む
請求項２に記載のタッチパネル。
【請求項４】
前記複数の押圧検知用導電路の各々は、前記第２の導電路の異なる位置に接続している
請求項２又は３に記載のタッチパネル。
【請求項５】
前記第２の導電路は、前記法線方向から見て、前記複数の押圧検知用導電路のうち互いに隣接する少なくとも１組の間に抵抗部を含む
請求項４に記載のタッチパネル。
【請求項６】
間隙を空けて互いに対向して配置される第１のシート及び第２のシートと、
前記第１のシートが有する主面であって、前記第２のシートと対向する第１の主面に形成された第１の導電路と、
前記第２のシートが有する主面であって、前記第１のシートと対向する第２の主面に形成された第２の導電路と、
前記第２の導電路に電気的に接続して前記第２の主面に形成されており、前記第１のシートの法線方向から見て前記第１の導電路と交差する押圧検知用導電路とを備え、
前記第１のシートと前記第２のシートとの各々は、画像を透過させる画像透過領域と前記画像透過領域の外の周辺領域とを有し、
前記第１の導電路は、前記画像透過領域の外縁又は前記周辺領域に設けられており、
前記第２の導電路は、前記周辺領域に設けられており、前記法線方向から見て前記第１の導電路よりも前記画像透過領域から離間している
タッチパネル。
【請求項７】
前記第１の導電路と前記第２の導電路との各々は、前記画像透過領域の外縁と平行に設けられている
請求項６に記載のタッチパネル。
【請求項８】
前記第１の導電路と前記第２の導電路との各々は、前記画像透過領域を囲むように設けられている
請求項６又は７に記載のタッチパネル。
【請求項９】
間隙を空けて互いに対向して配置される第１のシート及び第２のシートと、
前記第１のシートが有する主面であって、前記第２のシートと対向する第１の主面に形成された第１の導電路と、
前記第２のシートが有する主面であって、前記第１のシートと対向する第２の主面に形成されており、前記第１のシートの法線方向から見て前記第１の導電路から離間した第２の導電路と、
前記第２の導電路に電気的に接続して前記第２の主面に形成されており、前記法線方向から見て前記第１の導電路と交差する押圧検知用導電路と、
前記第１のシートと前記第２のシートとの間に設けられて前記間隙を維持する複数のスペーサと、
前記第１の導電路と前記第２の導電路との間に設けられる絶縁層とを備え、
前記スペーサは、前記法線方向から見て、画像を透過させる画像透過領域であって、前記押圧検知用導電路の各々が延びる方向にある領域に設けられるタッチパネル。
【請求項１０】
前記第１の導電路と前記第２の導電路と前記押圧検知用導電路とは、導電性インクによって形成されている
請求項１から９のいずれか１項に記載のタッチパネル。
【請求項１１】
請求項１から１０のいずれか１項に記載のタッチパネルと、
前記押圧検知用導電路に対応付けて定められた感圧領域が押圧されると、前記第１の導電路と前記第２の導電路と前記押圧された感圧領域に対応する前記押圧検知用導電路とで形成される電気回路の抵抗値に基づいて、前記押圧された感圧領域を決定する入力信号制御部とを備える入力装置。
【請求項１２】
画像を表示する表示部と、
画像を透過させる画像透過領域を介して、前記表示部に表示される画像が提示されるように、前記表示部が配置された請求項１１に記載の入力装置とを備えるリモコン装置。
【請求項１３】
第１のシートが有する第１の主面に第１の導電路を形成し、
前記第１のシートと第２のシートとを対向させて前記第１のシートの法線方向から見た場合に前記第１の導電路から離間した第２の導電路を、前記第２のシートが有する第２の主面に形成し、
前記第２の導電路に電気的に接続し、前記第１のシートと前記第２のシートとを対向させて前記法線方向から見た場合に前記第１の導電路と交差する押圧検知用導電路を前記第２の主面に形成し、
前記第１の導電路に電気的に接続し、前記法線方向から見た場合に前記押圧検知用導電路が前記第１の導電路と交差する箇所から前記押圧検知用導電路と重なり合う部分を含んで延びる押圧検知補助導電路を前記第１の主面に形成し、
前記第１のシートと前記第２のシートとを間隙を空けて互いに対向させて固定するタッチパネルの製造方法。
【請求項１４】
画像を透過させる画像透過領域と前記画像透過領域の外の周辺領域とを有する第１のシートと第２のシートとを準備し、
前記第１のシートが有する第１の主面の前記画像透過領域の外縁又は前記周辺領域に第１の導電路を形成し、
前記第２のシートが有する第２の主面のうち、前記周辺領域であり、かつ、前記第１のシートと前記第２のシートとを対向させて前記第１のシートの法線方向から見た場合に前記第１の導電路よりも前記画像透過領域から離間した領域に、第２の導電路を形成し、
前記第２の導電路に電気的に接続し、前記第１のシートと前記第２のシートとを対向させて前記法線方向から見た場合に前記第１の導電路と交差する押圧検知用導電路を前記第２の主面に形成し、
前記第１のシートと前記第２のシートとを間隙を空けて互いに対向させて固定するタッチパネルの製造方法。
【請求項１５】
画像を透過させる画像透過領域を有する第１のシートと第２のシートとを準備し、
前記第１のシートが有する第１の主面に第１の導電路を形成し、
前記第１のシートと前記第２のシートとを対向させて前記第１のシートの法線方向から見た場合に前記第１の導電路から離間した第２の導電路を、前記第２のシートが有する第２の主面に形成し、
前記第２の導電路に電気的に接続し、前記第１のシートと前記第２のシートとを対向させて前記法線方向から見た場合に前記第１の導電路と交差する押圧検知用導電路を前記第２の主面に形成し、
前記画像透過領域であり、かつ、前記第１のシートと前記第２のシートとを対向させて前記法線方向から見た場合に前記押圧検知用導電路の各々が延びる方向にある前記第１の主面又は前記第２の主面の領域に、複数のスペーサを配置し、
前記第１の主面又は前記第２の主面に絶縁層を形成し、
前記第１のシートと前記第２のシートとを間隙を空けて互いに対向させて固定するタッチパネルの製造方法。
【発明の詳細な説明】
【技術分野】
【０００１】
本発明は、タッチパネル、入力装置、リモコン装置及びタッチパネルの製造方法に関する。
【背景技術】
【０００２】
タッチパネルは、携帯端末など各種機器の入力装置に一般に採用されている。例えば特許文献１には、ＩＴＯ（酸化インジウムスズ）などの透明導電膜をもつ透明電極基板を上下に対向させ、空隙を介して外枠部分を固定して構成される抵抗膜方式のタッチパネルが開示されている。そして、特許文献１に記載のように、例えば４線式の場合、上下基板にそれぞれ２本の平行配線を配設して片方でＸ方向の電位分布を、もう片方でＹ方向の電位分布を交互に形成し、それぞれが電位分布の印加と電位の検出とを交互に行って押下げ位置の検出を行う。
【先行技術文献】
【特許文献】
【０００３】
【特許文献１】特開２０１２−２２１００６号公報
【発明の概要】
【発明が解決しようとする課題】
【０００４】
特許文献１に記載のタッチパネルでは、このようなタッチパネルでは、上下の透明電極基板のそれぞれに、透明導電膜が設けられ、さらに２本の平行配線が設けられる。そのため、タッチパネル自体の構成が複雑である。【０００５】
また、このようなタッチパネルでは、上下基板の平行配線に電位分布を交互に形成して押下げ位置を検出する。そのため、押下げ位置を検出するための構成も複雑になることが多い。【０００６】
本発明は、上記の事情に鑑みてなされたものであり、押圧された領域を簡易な構成で検出することが可能なタッチパネルなどを提供することを目的とする。
【課題を解決するための手段】
【０００７】
上記目的を達成するため、本発明に係るタッチパネルは、間隙を空けて互いに対向して配置される第１のシート及び第２のシートと、前記第１のシートが有する主面であって、前記第２のシートと対向する第１の主面に形成された第１の導電路と、前記第２のシートが有する主面であって、前記第１のシートと対向する第２の主面に形成されており、前記第１のシートの法線方向から見て前記第１の導電路から離間した第２の導電路と、前記第２の導電路に電気的に接続して前記第２の主面に形成されており、前記法線方向から見て前記第１の導電路と交差する押圧検知用導電路と、前記第１の導電路に電気的に接続して前記第１の主面に形成されており、前記法線方向から見て、前記押圧検知用導電路が前記第１の導電路と交差する箇所から前記押圧検知用導電路と重なり合う部分を含んで延びる押圧検知補助導電路とを備える。
【発明の効果】
【０００８】
本発明によれば、第１のシートには第１の導電路が設けられ、第２のシートには第２の導電路と押圧検知用導電路とが設けられればよいので、タッチパネル自体の構成を簡易化することができる。従って、押圧された感圧領域を簡易な構成で検出することが可能になる。
【図面の簡単な説明】
【０００９】
【図１】本発明の実施の形態１に係るリモコン装置の正面図である。
【図２】実施の形態１に係るタッチパネルの分解斜視図である。
【図３】実施の形態１に係るタッチパネルの正面図である。
【図４】実施の形態１に係るリモコン装置の内部構造の後方斜視図である。
【図５】実施の形態１に係るリモコン装置が備えるマイコンの機能を示す図である。
【図６】実施の形態１に係る制御内容データの一例を示す図である。
【図７】実施の形態１に係るリモコン装置が実行する制御処理の一例を示すである。
【図８】図３のＡ−Ａ部分におけるＢ−Ｂ断面を示す図であって、感圧領域が押圧されていない状態を示す図である。
【図９】図３のＡ−Ａ部分におけるＢ−Ｂ断面を示す図であって、感圧領域が押圧された状態を示す断面図である。
【図１０】感圧領域が図９に示すように押圧されることにより、第１の導電路と第２の導電路と押圧検知用導電路とで形成される電気回路の一例を示す図である。
【図１１】感圧領域が図９に示すように押圧されることにより変化した画像の一例を示す図である。
【図１２】実施の形態１に係る第１のシートに、第１の導電路、スペーサが設けられる工程の一例を示す図である。
【図１３】実施の形態１に係る第２のシートに、第２の導電路が設けられる工程の一例を示す図である。
【図１４】本発明の実施の形態２に係るタッチパネルの正面図である。
【図１５】本発明の実施の形態３に係るタッチパネルの正面図である。
【図１６】本発明の実施の形態４に係るタッチパネルの正面図である。
【図１７】本発明の実施の形態５に係るタッチパネルの下部の正面図である。
【図１８】本発明の実施の形態６に係るタッチパネルの正面図である。
【図１９】本発明の実施の形態７に係るタッチパネルの正面図である。
【図２０】本発明の実施の形態８に係るタッチパネルの分解斜視図である。
【図２１】実施の形態８に係るタッチパネルの正面図である。
【図２２】図２１のＣ−Ｃ部分におけるＤ−Ｄ断面を示す図であって、感圧領域が押圧されていない状態を示す図である。
【図２３】図２１のＣ−Ｃ部分におけるＤ−Ｄ断面を示す図であって、感圧領域が押圧された状態を示す断面図である。
【図２４】感圧領域が図２３に示すように押圧されることにより、第１の導電路と第２の導電路と押圧検知用導電路とで形成される電気回路の他の例を示す図である。
【図２５】実施の形態８に係る第１のシートに、第１の導電路、スペーサ、押圧検知補助導電路が設けられる工程の一例を示す図である。
【図２６】押圧検知補助導電路の第１の変形例を示す図である。
【図２７】押圧検知補助導電路の第２の変形例を示す図である。
【図２８】押圧検知補助導電路の第３の変形例を示す図である。
【図２９】本発明の実施の形態９に係るタッチパネルの正面図である。
【図３０】本発明の実施の形態１０に係るタッチパネルの正面図である。
【発明を実施するための形態】
【００１０】
本発明の実施の形態について図を参照して説明する。全図を通じて同一の要素には同一の参照符号を付す。なお、図中、細い点線は隠れ線であり、細い２点鎖線は仮想線である。
【００１１】
実施の形態１．
本発明の実施の形態１に係るリモコン装置１００は、正面図である図１に示すように、回線１０１を介して空調機１０２と通信することによって、空調機１０２を制御する装置である。回線１０１は、無線、有線又はこれらを組み合わせたものであってよく、任意の通信規格が採用されてよい。
【００１２】
リモコン装置１００は、図１に示すように、各種の部品が内部に収容されるカバー１０３と、前方へ画像を提示する表示部１０４と、感圧領域１０５ａ〜１０５ｉへのユーザの押圧による操作を受け付けるタッチパネル１０６と、空調機１０２の入と切とを切り替えるための電源ボタン１０７と、リモコン装置１００が動作するための電力を供給する電源１０８と、リモコン装置１００の動作を制御するマイコン１０９とを備える。なお、感圧領域１０５ａ〜１０５ｉは、典型的には、ユーザの指で押圧されるが、ペン状の器具などを用いて押圧されてもよい。
【００１３】
ここで、図１の紙面に向かって、前方は手前方向であり、後方は奥方向であるとする。
【００１４】
カバー１０３は、前方部分に概ね矩形の開口１１０を有する。この開口１１０を通じて、表示部１０４の画像は前方へ提示され、タッチパネル１０６へのユーザの操作が受け付けられる。
【００１５】
表示部１０４は、画像を表示する画面と、その周囲のフレームとを有する。表示部１０４の画面は、図１に示すように、典型的には矩形であって、カバー１０３の開口１１０に対応付けて配置される。表示部１０４は、例えばフルドットカラー液晶表示パネルであって、液晶パネル、液晶を駆動するための駆動回路、カラーフィルタ、光源などから構成される。なお、表示部１０４には、任意の表示パネルが採用されてよく、例えば、モノクロ液晶表示パネル、セグメント方式液晶表示パネルなどであってもよい。
【００１６】
タッチパネル１０６は、表示部１０４の画面の前方に設けられるシート状の部材である。感圧領域１０５ａ〜１０５ｉには、図１に示すように、表示部１０４により表示される画像が示されており、感圧領域１０５ａ〜１０５ｉの各々が押圧された場合に実行される処理を示す。これにより、ユーザは、直感的に操作することができる。
【００１７】
詳細には、タッチパネル１０６は、分解斜視図である図２に示すように、間隙を空けて互いに対向して配置される第１のシート１１１及び第２のシート１１２と、第１のシート１１１に形成される第１の導電路１１３と、第２のシート１１２に形成される第２の導電路１１４と、感圧領域１０５ａ〜１０５ｉのいずれが押圧されたかを検知するための複数の押圧検知用導電路１１５ａ〜１１５ｉと、第１のシート１１１と第２のシート１１２との間に設けられてこれらの間隙を維持する複数のスペーサ１１６ａ〜１１６ｉ，１１７ａ〜１１７ｉとを備える。
【００１８】
なお、第１のシート１１１及び第２のシート１１２は、前後に互いに対向して配置されるので、第１のシート１１１の法線方向は、前後方向を向き、第２のシート１１２の法線方向と一致する。すなわち、本実施の形態の説明における「前方から見た場合」は、「第１のシート１１１の法線方向から見た場合」に相当する。
【００１９】
第１のシート１１１及び第２のシート１１２のそれぞれは、例えばＰＥＴ（ポリエチレンテレフタレート）などの樹脂を材料として作られた、透明な薄い又は極めて薄いシート状の部材である。本実施の形態では、第１のシート１１１と第２のシート１１２とはいずれも、前方から見て、同じ大きさの矩形状をなす。
【００２０】
第１のシート１１１及び第２のシート１１２のそれぞれは、表示部１０４の画面が対応付けて配置される領域として予め定められた画像透過領域１１８，１１９と、画像透過領域１１８，１１９の外の周辺領域１２０，１２１とを有する。本実施の形態では、画像透過領域１１８と画像透過領域１１９とは、前方から見て、同じ大きさの矩形状である。
【００２１】
より詳細には、第１のシート１１１は、表裏をなす２つの主面（第１の主面１２２ａ、第３の主面１２２ｂ）を有する。同様に、第２のシート１１２も、表裏をなす２つの主面（第２の主面１２３ａ、第４の主面１２３ｂ）を有する。
【００２２】
第１のシート１１１と第２のシート１１２それぞれの画像透過領域１１８，１１９が前後に互いに重ね合わさるように、第１の主面１２２ａと第２の主面１２３ａとは、互いに対向して配置される。本実施の形態では、表示部１０４の画面が第３の主面１２２ｂの後方に配置される。これによって、表示部１０４が表示する画像は、画像透過領域１１８，１１９を順に透過して前方へ提示される。
【００２３】
また、リモコン装置１００の前面となる第４の主面１２３ｂには、図２に示すように感圧領域１０５ａ〜１０５ｉが画像透過領域１１９の外縁に沿って、その画像透過領域１１９の内部に予め定められる。本実施の形態では感圧領域１０５ａ〜１０５ｉは、同図に示すように、画像透過領域１１９の下辺及び右辺に沿って一列に並んでいる。
【００２４】
第１の導電路１１３は、第１の主面１２２ａに形成された線状又は帯状に連続して延在する導電性の部位である。本実施の形態に係る第１の導電路１１３は、第１のシート１１１の画像透過領域１１８の外縁に設けられている。より詳細には、第１の導電路１１３は、画像透過領域１１８の外縁の一部である下辺及び右辺に設けられている。
【００２５】
第２の導電路１１４は、第２の主面１２３ａに形成された線状又は帯状に連続して延在する導電性の部位である。本実施の形態に係る第２の導電路１１４は、図２に示すように、第２の主面１２３ａの周辺領域１２１に設けられている。
【００２６】
より詳細には、第２の導電路１１４は、タッチパネル１０６の正面図である図３に示すように、画像透過領域１１９の下辺よりも下方の周辺領域１２１と画像透過領域１１９の右辺よりも右方の周辺領域１２１とのそれぞれに、画像透過領域１１９の外縁と平行に設けられている。そのため、第２の導電路１１４は、前方から見て、第１の導電路１１３よりも画像透過領域１１８，１１９から離間している。また、第１の導電路１１３と第２の導電路１１４とは、前方から見て平行である。
【００２７】
ここで、第１の導電路１１３と第２の導電路１１４とが平行であるとは、前方から見て、画像透過領域１１８，１１９の外縁に沿う方向と垂直な方向において、第１の導電路１１３と第２の導電路１１４との距離が実質的に一定であることをいう。
【００２８】
複数の押圧検知用導電路１１５ａ〜１１５ｉは、感圧領域１０５ａ〜１０５ｉのいずれが押圧されたかを検知するために、第２の主面１２３ａに形成された線状又は帯状の導電性の部位である。押圧検知用導電路１１５ａ〜１１５ｉは、それぞれ、感圧領域１０５ａ〜１０５ｉに対応付けて設けられている。
【００２９】
押圧検知用導電路１１５ａ〜１１５ｉの各々は、図３に示すように、画像透過領域１１８，１１９の外縁の下辺及び右辺のそれぞれに沿う方向において、概ね等間隔で平行に設けられている。押圧検知用導電路１１５ａ〜１１５ｉの各々は、一端が第２の導電路１１４の異なる位置に電気的に接続し、前方から見て第１の導電路１１３と交差する。
【００３０】
これまで説明した第１の導電路１１３、第２の導電路１１４及び複数の押圧検知用導電路１１５ａ〜１１５ｉは、例えば銀などを含有する導電性インクを材料として形成される。導電性インクを印刷することで、第１の導電路１１３、第２の導電路１１４及び押圧検知用導電路１１５ａ〜１１５ｉを容易に形成することが可能になる。また、導電性インクは比較的安価なため、製造コストを低減させることが可能になる。
【００３１】
複数のスペーサ１１６ａ〜１１６ｉ，１１７ａ〜１１７ｉは、第１のシート１１１と第２のシート１１２の間に設けられる。スペーサ１１６ａ〜１１６ｉ，１１７ａ〜１１７ｉの各々は、樹脂などを材料として作られた、透明の極めて小さい球状の粒である。
【００３２】
スペーサ１１６ａ〜１１６ｉは、図３に示すように前方から見て、第１の導電路１１３と第２の導電路１１４との間であって、押圧検知用導電路１１５ａ〜１１５ｉのそれぞれと重なる位置に設けられる。スペーサ１１６ａ〜１１６ｉによって、押圧検知用導電路１１５ａ〜１１５ｉと第１の導電路１１３との間隙を維持することができる。従って、押圧検知用導電路１１５ａ〜１１５ｉと第１の導電路１１３とが、感圧領域１０５ａ〜１０５ｉが押圧されていない状態で電気的に接触することを確実に防ぐことが可能になる。
【００３３】
スペーサ１１７ａ〜１１７ｉは、図３に示すように前方から見て、画像透過領域１１８，１１９の内部であって、押圧検知用導電路１１５ａ〜１１５ｉの各々が延びる方向にある各領域に１つずつ設けられる。感圧領域１０５ａ〜１０５ｉは、前方から見て、スペーサ１１７ａ〜１１７ｉが設けられる各領域と第１導電路１１３の間に規定される。
【００３４】
スペーサ１１７ａ〜１１７ｉによって、感圧領域１０５ａ〜１０５ｉが押圧されていない状態では、感圧領域１０５ａ〜１０５ｉにおいて前後に対向する第２のシート１１２と第１のシート１１１との間隙を維持することができる。そして、感圧領域１０５ａ〜１０５ｉのいずれかが押圧された場合に、押圧された感圧領域１０５ａ〜１０５ｉに対応する押圧検知用導電路１１５ａ〜１１５ｉを、第２のシート１１２とともに確実に撓ませて第１の導電路１１３に電気的に接触させることが可能になる。
【００３５】
このように、スペーサ１１６ａ〜１１６ｉ，１１７ａ〜１１７ｉを設けることによって、感圧領域１０５ａ〜１０５ｉが押圧されていない状態での第１のシート１１１と第２のシート１１２との間隙が維持される。この間隙の前後方向の長さは、感圧領域１０５ａ〜１０５ｉを押圧することで第２のシート１１２が撓んだ場合に、押圧された感圧領域１０５ａ〜１０５ｉに対応する押圧検知用導電路１１５ａ〜１１５ｉと第１の導電路１１３とが接触する程度に設定される。
【００３６】
電源ボタン１０７は、図１に示すように、カバー１０３の前方部分のうち、開口１１０の下に設けられるボタンである。ユーザが電源ボタン１０７を押下するたびに、マイコン１０９の制御の下で、空調機１０２の入と切とが入れ替わる。
【００３７】
ここで、空調機１０２の「入」とは、空調機１０２が対象空間の空気を調和させるための運転をしている状態（運転状態）をいう。空調機１０２の「切」とは、空調機１０２が運転を開始するための指示（すなわち、電源ボタン１０７の押下によりマイコン１０９から出力される指示）を待機している状態（待機状態）をいう。
【００３８】
マイコン１０９は、例えば図４に示すように表示部１０４の後方に設けられて、カバー１０３の内部に収容される。また、同図に示すように、マイコン１０９のＡ／Ｄ（Ａｎａｌｏｇ／Ｄｉｇｉｔａｌ）入力ポート１２４には、第２の導電路１１４の一端（本実施の形態では左端）が配線Ｌ１によって接続される。配線Ｌ１は、第２の導電路１１４とＡ／Ｄ入力ポート１２４との間で分岐し、抵抗１２５を介して接地（基準電圧に接続）される。
【００３９】
マイコン１０９は、入力信号に応じて、表示部１０４、空調機１０２などを制御する装置であって、物理的には例えば、各種の演算処理を実行する演算装置と、命令、情報などを格納するためのレジスタと、データを記憶する記憶装置とから構成される。
【００４０】
入力信号には、ユーザの押下による電源ボタン１０７からの信号、ユーザの押圧によるタッチパネル１０６からの信号、各種センサ（図示せず）から出力される環境情報を含む信号などがある。環境情報は、例えば、温度センサにより計測される温度、湿度センサで計測される湿度、人感センサにより検知される人の在又は不在などである。
【００４１】
本実施の形態に係るマイコン１０９は機能的に、図５に示すように、予め格納される制御内容データ１２６を記憶する制御内容記憶部１２７と、タッチパネル１０６からの入力信号に応じて押圧された感圧領域１０５ａ〜１０５ｉを決定する入力信号制御部１２８と、押圧された感圧領域１０５ａ〜１０５ｉに応じて空調機１０２を制御する機器制御部１２９と、表示部１０４に画像を表示させる表示制御部１３０とを備える。これらの機能は、例えば、マイコン１０９が予め組み込まれたプログラムを実行することによって実現される。
【００４２】
制御内容データ１２６は、押圧された感圧領域１０５ａ〜１０５ｉに応じた制御内容を定める。この制御内容は、空調機１０２及びリモコン装置１００の一方又は両方に対する制御などを含む。リモコン装置１００の制御には、例えば、表示部１０４が表示する画像を変更することなどを含む。
【００４３】
本実施の形態に係る制御内容データ１２６は、図６に示すように、感圧領域１０５ａ〜１０５ｉと画面ＩＤとの組み合わせに応じた制御内容の各々を含む。画面ＩＤは、表示部１０４の画面に表示される画像を識別するための情報である。例えば、「画面ＩＤ」が「画面１」である画像を表示している間に「感圧領域ｂ」が押圧されると、マイコン１０９は、空調機１０２及びリモコン装置１００の一方又は両方を、「制御内容Ｂ１」に応じて制御する。
【００４４】
入力信号制御部１２８は、感圧領域１０５ａ〜１０５ｉのいずれかが押圧された場合に形成される電気回路の抵抗値に基づいて、押圧された感圧領域１０５ａ〜１０５ｉを決定する。このような入力信号制御部１２８は、タッチパネル１０６とともに、ユーザがリモコン装置１００に入力操作をするための入力装置１３１を構成する。
【００４５】
詳細には、感圧領域１０５ａ〜１０５ｉのいずれかが押圧されると、第１の導電路１１３と押圧された感圧領域１０５ａ〜１０５ｉに対応する押圧検知用導電路１１５ａ〜１１５ｉとが電気的に接触する。これによって、電気回路が、第１の導電路１１３と、第２の導電路１１４と、押圧された感圧領域１０５ａ〜１０５ｉに対応する押圧検知用導電路１１５ａ〜１１５ｉとで形成される。入力信号制御部１２８は、Ａ／Ｄ入力ポート１２４に入力する入力信号の電圧値に基づいて、押圧により形成された電気回路の抵抗値を求める。そして、入力信号制御部１２８は、この電気回路の抵抗値に基づいて、押圧された感圧領域１０５ａ〜１０５ｉを決定する。
【００４６】
機器制御部１２９は、入力信号制御部１２８により決定された感圧領域１０５ａ〜１０５ｉと制御内容データ１２６とに基づいて、空調機１０２、リモコン装置１００などのいずれか１つ又は複数を制御する。
【００４７】
表示制御部１３０は、機器制御部１２９の指示の下、表示部１０４に画像を表示させる。
【００４８】
なお、リモコン装置１００に搭載されるマイコン１０９は、１つに限らず、例えば、表示部１０４を制御するための演算装置などがさらに搭載されてもよい。また、リモコン装置１００には、マイコン１０９の記憶装置に加えて、又はこれに代えて、比較的大容量のフラッシュメモリなどの記憶装置が搭載されてもよい。
【００４９】
電源１０８は、典型的には、商用電源を変換する機器であるが、電池などであってもよい。電源１０８は、適宜リモコン装置１００に設けられればよく、例えば、カバー１０３の内部において、後方斜視図である図４に示すように表示部１０４の後方に設けられる。
【００５０】
電源１０８は、タッチパネル１０６にその動作のための直流の電力を供給する。本実施の形態では、同図に示すように、電源１０８は、配線Ｌ２によって、第１の導電路１１３の一端（本実施の形態では左端）に、接続される。第１の導電路１１３には、配線Ｌ２を介して予め定められた大きさ（例えば、５．０［Ｖ］）の電圧が印加される。
【００５１】
また、電源１０８は、マイコン１０９にその動作のための直流の電力を供給する。本実施の形態では、同図に示すように、配線Ｌ２から分岐した配線Ｌ３を通じて、電源１０８からマイコン１０９へ電力が供給される。そのため、マイコン１０９には、第１の導電路１１３と同じ大きさの電力（例えば、電圧が５．０［Ｖ］の直流の電力）が供給されることになる。
【００５２】
このように、タッチパネル１０６とマイコン１０９とがともに電源１０８から供給される電力で動作するので、タッチパネル１０６とマイコン１０９とのそれぞれに別個の電源１０８を設けなくてよい。これにより、入力装置１３１、さらにはリモコン装置１００のサイズが大きくなることを抑制できる。
【００５３】
なお、本実施の形態では、第１の導電路１１３に電圧が印加され、第２の導電路１１４がＡ／Ｄ入力ポート１２４に接続されるとともに抵抗１２５を介して接地されることとした。しかし、第１の導電路１１３がＡ／Ｄ入力ポート１２４に接続されるとともに抵抗１２５を介して接地され、第２の導電路１１４に予め定められた大きさの電圧が印加されてもよい。
【００５４】
これまで、本実施の形態に係るリモコン装置１００の構成について説明した。ここから、本実施の形態に係るリモコン装置１００の動作について説明する。
【００５５】
リモコン装置１００は、運転状態である場合、図７に示す制御処理を実行する。ここでは、始めに図１に示す画像が表示されているとする。
【００５６】
図１に示すリモコン装置１００で表示された画像は、空調機１０２が「設定温度：２８．０℃」、「風量：自動」で「冷房」運転中であることなどを示す。また、感圧領域１０５ａ〜１０５ｄには、それぞれ、運転モードを「冷房」モード、「除湿」モード、「暖房」モード、「自動」運転モードに切り替える機能が対応付けられていることを示す。感圧領域１０５ｅには、画像を予め定められた「メイン」画像に切り替える機能が対応付けられていることを示す。感圧領域１０５ｆには、風量を順に（例えば、「自動」→「強」→「弱」→「微風」の順）切り替えること、感圧領域１０５ｇには、風量を逆順に切り替えることが、それぞれ対応付けられていることを示す。感圧領域１０５ｈ〜１０５ｉには、設定温度を予め定められた刻み（例えば０．５℃刻み）で、それぞれ下げることと上げることとが対応付けられていることを示す。
【００５７】
入力信号制御部１２８は、Ａ／Ｄ入力ポート１２４への入力信号に基づいて、第２の導電路１１４に電流が流れたか否かを判定する（ステップＳ１０１）。
【００５８】
例えば、図８に示すように、感圧領域１０５ｂに対応する押圧検知用導電路１１５ｂと第１の導電路１１３とが離間している。このように、感圧領域１０５ａ〜１０５ｉがいずれも押圧されていない場合、すべての押圧検知用導電路１１５ａ〜１１５ｉと第１の導電路１１３とが離間している。そのため、押圧検知用導電路１１５ａ〜１１５ｉと第１の導電路１１３とは絶縁され（すなわち、これらの間の抵抗は無限大となり）、第２の導電路１１４に流れる電流は、ほぼゼロとなる。
【００５９】
従って、感圧領域１０５ａ〜１０５ｉがいずれも押圧されていない場合、Ａ／Ｄ入力ポート１２４へ入力信号は、実質的に入力しない。すなわち、この場合、Ａ／Ｄ入力ポート１２４に入力信号が入力したとしても、その電圧は、閾値以下の微弱なノイズである。入力信号制御部１２８は、Ａ／Ｄ入力ポート１２４への入力信号の電圧と閾値とを比較し、例えばその電圧が閾値以下である場合、第２の導電路１１４に電流が流れていないと判定する。
【００６０】
そして例えば、図９に示すように、感圧領域１０５ｂが押圧されると、第２のシート１１２が撓むことによって、感圧領域１０５ｂに対応付けられた押圧検知用導電路１１５ｂと第１の導電路１１３とが電気的に接続する。これによって、第１の導電路１１３と押圧検知用導電路１１５ｂと第２の導電路１１４とにより電気回路が構成され、この電気回路には図１０に矢印１３２で示すように電流が流れる。そのため、感圧領域１０５ｂの押圧により形成された電気回路に電流が流れ、Ａ／Ｄ入力ポート１２４へ入力信号が入力される。
【００６１】
同様に、感圧領域１０５ａ，１０５ｃ〜１０５ｉのいずれかが押圧された場合、押圧検知用導電路１１５ａ，１１５ｃ〜１１５ｉのうち、押圧された感圧領域１０５ａ，１０５ｃ〜１０５ｉに対応するものと第１の導電路１１３とが電気的に接続する。これによって、第１の導電路１１３と、押圧された感圧領域１０５ａ，１０５ｃ〜１０５ｉに対応する押圧検知用導電路１１５ａ，１１５ｃ〜１１５ｉの１つと、第２の導電路１１４とにより電気回路が構成される。そのため、感圧領域１０５ａ，１０５ｃ〜１０５ｉのいずれかの押圧により形成された電気回路に電流が流れ、Ａ／Ｄ入力ポート１２４へ入力信号が入力される。
【００６２】
従って、感圧領域１０５ａ〜１０５ｉのいずれかが押圧された場合、Ａ／Ｄ入力ポート１２４へ入力信号が入力される。入力信号制御部１２８は、Ａ／Ｄ入力ポート１２４への入力信号の電圧と閾値とを比較し、例えばその電圧が閾値より大きい場合、第２の導電路１１４に電流が流れていると判定する。
【００６３】
入力信号制御部１２８は、電流が流れていないと判定した場合（ステップＳ１０１；Ｎｏ）、ステップＳ１０１を継続する。
【００６４】
電流が流れたと判定した場合（ステップＳ１０１；Ｙｅｓ）、入力信号制御部１２８は、Ａ／Ｄ入力ポート１２４への入力信号の電圧値と、予め印加されている電圧の大きさとに基づいて、抵抗値を算出する（ステップＳ１０２）。
【００６５】
詳細には、図４を参照して上述したように、予め定められた大きさの電圧が、配線Ｌ２を通じて、第１の導電路１１３に印加される。第１の導電路１１３に印加された電圧は、押圧により形成される電気回路の抵抗（配線抵抗）と抵抗１２５との間で分圧される。また、抵抗１２５の抵抗値は、設計上適宜定められるとよい。従って、入力信号制御部１２８は、Ａ／Ｄ入力ポート１２４への入力信号の電圧値と、第１の導電路１１３に印加されている電圧値と基づいて、押圧された感圧領域１０５ａ〜１０５ｉに応じた電気回路の抵抗値を算出することができる。
【００６６】
このようにして入力信号制御部１２８は、例えば感圧領域１０５ｂが押圧された場合、ステップＳ１０２にて、感圧領域１０５ｂの押圧により形成された電気回路の抵抗値を求める。
【００６７】
入力信号制御部１２８は、ステップＳ１０２にて算出した抵抗値に基づいて、押圧された感圧領域１０５ａ〜１０５ｉがいずれであるかを決定する（ステップＳ１０３）。
【００６８】
ここで、上述のように、第１の導電路１１３と第２の導電路１１４とはいずれも、画像透過領域１１８，１１９の外縁に沿って延在している。そして、電圧が第１の導電路１１３の一端に印加されるとともに、第１の導電路１１３の一端の近傍に位置する第２の導電路１１４の一端から流れ出る電流が、入力信号としてＡ／Ｄ入力ポート１２４へ入力される。
【００６９】
また、感圧領域１０５ａ〜１０５ｉが押圧されると、それぞれに対応する押圧検知用導電路１１５ａ〜１１５ｉと第１の導電路１１３とが電気的に接続する。そのため、感圧領域１０５ａ〜１０５ｉのいずれかの押圧によって形成される電気回路の長さは、感圧領域１０５ａ〜１０５ｉのいずれが押圧されるかによって異なる。この電気回路は、押圧された感圧領域１０５ａ〜１０５ｉに対応する押圧検知用導電路１１５ａ〜１１５ｉと、第１の導電路１１３と、第２の導電路１１４で構成されるものである。
【００７０】
従って、感圧領域１０５ａ〜１０５ｉのいずれが押圧されるかによって、ステップＳ１０２で算出される抵抗値は異なる。
【００７１】
例えば、入力信号制御部１２８が、感圧領域１０５ａ〜１０５ｉの各々と抵抗値とを対応付けたデータを予め保持しておくとよい。このデータとステップＳ１０２で算出した抵抗値とに基づいて、入力信号制御部１２８は、押圧された感圧領域１０５ａ〜１０５ｉを決定することができる。なお、このデータにおいて、感圧領域１０５ａ〜１０５ｉの各々に対応付けられる抵抗値は、ある程度の誤差を許容するため、Ｘ１［Ω］〜Ｘ２［Ω］などと幅をもって設定されるとよい。
【００７２】
機器制御部１２９は、ステップＳ１０３で決定された感圧領域１０５ａ〜１０５ｉを示すデータを取得する。機器制御部１２９は、表示部１０４に表示されている画像の画面ＩＤを特定する。表示されている画像の画面ＩＤは、例えば機器制御部１２９自身が保持しておくとよい。機器制御部１２９は、取得したデータが示す感圧領域１０５ａ〜１０５ｉと、特定した画面ＩＤと、制御内容データ１２６とに基づいて、制御内容を決定する（ステップＳ１０４）。
【００７３】
例えば、図１に示す画像の「画面ＩＤ」が「画面１」であり、「感圧領域ｂ」が押圧された場合、機器制御部１２９は、図６に示す制御内容データを参照することによって、「制御内容Ｂ１」という制御内容を決定する。
【００７４】
機器制御部１２９は、ステップＳ１０４にて決定した制御内容に従って、空調機１０２、リモコン装置１００などのいずれか１つ又は複数を制御する（ステップＳ１０５）。
【００７５】
図１に示す例では上述のように、「感圧領域ｂ」の押圧には「除湿」モードに切り替える機能が対応付けられている。そのため、機器制御部１２９は、空調機１０２の運転モードを、冷房モードから除湿モードへ切り替える。また、機器制御部１２９は、表示部１０４に表示させる画像を図１１に示すものへ切り替えるように、表示制御部１３０へ指示を出力する。これによって、表示制御部１３０は、図１１に示す画像を表示するための画像データを生成し、その画像を表示部１０４に表示させる。図１１に示す画像では、図１の「冷房」が「除湿」に変更されている。
【００７６】
このように、本実施の形態のリモコン装置１００によれば、タッチパネル１０６の感圧領域１０５ａ〜１０５ｉのうちのいずれが押下されたかを決定することができる。そして、押下された感圧領域１０５ａ〜１０５ｉに応じて、空調機１０２、リモコン装置１００などを制御して動作させることができる。
【００７７】
これまで、本実施の形態に係るリモコン装置１００の動作について説明した。ここから、本実施の形態に係るリモコン装置１００の製造方法について説明する。
【００７８】
図１２（ａ）に示すように、第１のシート１１１が準備される。
【００７９】
図１２（ｂ）に示すように、第１の導電路１１３が、第１のシート１１１の第１の主面１２２ａに、画像透過領域１１８の外縁に沿って設けられる。第１の導電路１１３は、導電性インクを印刷することによって設けられる。本実施の形態では、第１の導電路１１３は、画像透過領域１１８の下辺及び右辺に沿って設けられる。
【００８０】
図１２（ｃ）に示すように、スペーサ１１６ａ〜１１６ｉ，１１７ａ〜１１７ｉが、第１のシート１１１の第１の主面１２２ａに設けられる。
【００８１】
スペーサ１１６ａ〜１１６ｉは、押圧検知用導電路１１５ａ〜１１５ｉのそれぞれの上に配置される。また、スペーサ１１６ａ〜１１６ｉは、前方から見て第２の導電路１１４が配置されるべき位置と、第１の導電路１１３との間に設けられる。
【００８２】
スペーサ１１７ａ〜１１７ｉは、第１のシート１１１の画像透過領域１１８内の各領域に１つずつ設けられる。スペーサ１１７ａ〜１１７ｉが設けられる各領域は、第１のシート１１１に第２のシート１１２が重ね合わされた場合に、前方から見て、押圧検知用導電路１１５ａ〜１１５ｉの各々が延びる方向に位置する領域である。
【００８３】
図１３（ａ）に示すように、第２のシート１１２が準備される。
【００８４】
図１３（ｂ）に示すように、第２の導電路１１４が、第２のシート１１２の第２の主面１２３ａに、画像透過領域１１９の外縁に沿って設けられる。第２の導電路１１４は、導電性インクを印刷することによって設けられる。第２の導電路１１４は、第１のシート１１１と第２のシート１１２とを対向させて前方から見た場合に第１の導電路１１３から離間した位置に設けられる。本実施の形態では、第２の導電路１１４は、第２のシート１１２の周辺領域１２１のうち、画像透過領域１１９の下方及び右方のそれぞれに設けられる。
【００８５】
図１３（ｃ）に示すように、押圧検知用導電路１１５ａ〜１１５ｉのそれぞれが、第２のシート１１２の第２の主面１２３ａに設けられる。押圧検知用導電路１１５ａ〜１１５ｉのそれぞれは、導電性インクを印刷することによって設けられる。押圧検知用導電路１１５ａ〜１１５ｉのそれぞれは、第２の導電路１１４に電気的に接続して設けられる。押圧検知用導電路１１５ａ〜１１５ｉのそれぞれは、第１のシート１１１と第２のシート１１２とを対向させて前方から見た場合に第１の導電路１１３と交差するように設けられる。
【００８６】
第１の導電路１１３が設けられた第１のシート１１１と、第２の導電路１１４及び複数の押圧検知用導電路１１５ａ〜１１５ｉが設けられた第２のシート１１２とは、第１の主面１２２ａと第２の主面１２３ａとを対向させて固定される。このとき、第１のシート１１１と第２のシート１１２とは、画像透過領域１１８と画像透過領域１１９とが前後に重なり合うように配置される。また、固定には、例えば、第１の主面１２２ａ又は第２の主面１２３ａの外縁部分に塗布された接着剤１３３が適用される（例えば、図８参照）。なお、固着には、両面テープなどが適用されてもよい。これにより、本実施の形態に係るタッチパネル１０６が製造される。
【００８７】
図４に示すように、表示部１０４の画面が、タッチパネル１０６の後面（第３の主面１２２ｂ）に対置して固定される。マイコン１０９と電源１０８のそれぞれが、表示部１０４の後面に固定される。これらの固定には、ネジ止め、接着剤、両面テープなどが適宜適用されてよい。第２の導電路１１４の一端とマイコン１０９のＡ／Ｄ入力ポート１２４とが、抵抗１２５が介在する分岐線を有する配線Ｌ１によって電気的に接続される。第１の導電路１１３の一端と電源１０８とが、配線Ｌ２によって接続される。
【００８８】
これまでに組み立てられたタッチパネル１０６、表示部１０４、マイコン１０９、電源１０８などが、カバー１０３の内部に収容される。これによって、リモコン装置１００が製造される。リモコン装置１００の設置時などに、配線Ｌ１の分岐線の端部が接地される。
【００８９】
本実施の形態によれば、感圧領域１０５ａ〜１０５ｉが押圧されたことを検知するために、第１のシート１１１には第１の導電路１１３を設ければよく、第２のシート１１２に第２の導電路１１４と少なくとも１つの押圧検知用導電路１１５ａ〜１１５ｉとを設ければよい。すなわち、感圧領域１０５ａ〜１０５ｉが押圧されたことを検知するために、第１のシート１１１と第２のシート１１２のいずれにも、透明導電膜を設ける必要がない。そのため、タッチパネル１０６自体の構成を簡易化することができる。従って、押圧された領域を簡易な構成で検出することが可能になる。
【００９０】
また、本実施の形態によれば、複数の押圧検知用導電路１１５ａ〜１１５ｉのそれぞれに対応する感圧領域１０５ａ〜１０５ｉのいずれかが押圧されると、その押圧された感圧領域１０５ａ〜１０５ｉに対応する押圧検知用導電路１１５ａ〜１１５ｉと第１の導電路１１３とが電気的に接触する。これによって、電気回路が形成される。押圧により形成される電気回路の長さは、押圧される感圧領域１０５ａ〜１０５ｉごとに異なる。そのため、第１の導電路１１３と第２の導電路１１４のいずれかに電圧を印加するだけで、押圧により形成された電気回路の抵抗値に基づいて、押圧された感圧領域１０５ａ〜１０５ｉがいずれであるかを決定することができる。従って、複数の感圧領域１０５ａ〜１０５ｉのうち、いずれの感圧領域１０５ａ〜１０５ｉが押圧されたかを検出するための構成を簡易化することが可能になる。
【００９１】
また、本実施の形態によれば、第１の導電路１１３に予め定められた電圧を印加しておけばよく、電圧を印加する導電路１１３，１１４を切り替えるなどの必要がない。これにより、押圧された感圧領域１０５ａ〜１０５ｉを検出するための構成を簡易化することができる。従って、押圧された感圧領域１０５ａ〜１０５ｉを簡易な構成で検出することが可能になる。
【００９２】
さらに、本実施の形態によれば、マイコン１０９のＡ／Ｄ入力ポート１２４に入力する入力信号の電圧は、第２の導電路１１４の一端における電圧とほぼ等しい。そのため、Ａ／Ｄ入力ポート１２４に入力する入力信号の電圧を測定することによって、感圧領域１０５ａ〜１０５ｉのいずれが押圧されたかを決定することができる。このように、第２の導電路１１４の一端における電圧を測定するためのセンサなどを追加的に設けなくても、押圧された感圧領域１０５ａ〜１０５ｉを検出することができる。これにより、押圧された感圧領域１０５ａ〜１０５ｉを検出するための構成を簡易化することができる。従って、押圧された感圧領域１０５ａ〜１０５ｉを簡易な構成で検出することが可能になる。
【００９３】
本実施の形態では、第１の導電路１１３と第２の導電路１１４とは、それぞれ、画像透過領域１１８，１１９の外縁と平行に設けられている。そのため、一定の長さの押圧検知用導電路１１５を配置することで、タッチパネル１０６を製造できる。従って、タッチパネル１０６を容易に製造することが可能になる。
【００９４】
以上、本発明の実施の形態１について説明したが、本実施の形態はこれに限定されない。
【００９５】
例えば、リモコン装置１００が制御する対象（制御対象機器）は、空調機１０２に限らず、例えば、照明機器などの電気機器であってもよい。また、入力装置１３１は、リモコン装置１００に限らず、電機機器、端末装置など各種の機器、装置などに採用されてよい。
【００９６】
例えば、本実施の形態では、第１のシート１１１及び第２のシート１１２がいずれも、全体が透明な例により説明した。しかし、第１のシート１１１及び第２のシート１１２のそれぞれは、少なくとも画像透過領域１１８，１１９が透明であれば、周辺領域１２０，１２１は透明でなくてもよい。また、画像透過領域１１８，１１９は、少なくとも表示部１０４の画面の予め定められた範囲を透過させられる大きさ及び形状であればよい。
【００９７】
例えば、本実施の形態では、表示部１０４の画面が第３の主面１２２ｂの後方に配置される例により説明した。しかし、タッチパネル１０６は、本実施の形態とは前後を逆にして、リモコン装置１００に配置されてもよい。この場合、表示部１０４の画面は、第４の主面１２３ｂの後方に配置され、第３の主面１２２ｂがリモコン装置１００の前面となる。これによれば、タッチパネル１０６は、第３の主面１２２ｂの感圧領域１０５ａ〜１０５ｉが押圧されると、押圧された感圧領域１０５ａ〜１０５ｉに応じた信号を出力する。
【００９８】
例えば、第１の導電路１１３、第２の導電路１１４及び複数の押圧検知用導電路１１５ａ〜１１５ｉの一部又はすべては、導電性インクを材料として形成されたものではなく、銀、銅などの細い配線などであってもよい。
【００９９】
例えば、第１の導電路１１３は、第１の主面１２２ａの任意の位置に設けられてよい。第２の導電路１１４は、前方から見て、第１の導電路１１３から離間して第２の主面１２３ａに設けられればよい。複数の押圧検知用導電路１１５ａ〜１１５ｉは、前方から見て第１の導電路１１３と交差するように、第２の導電路１１４に電気的に接続して第２の主面１２３ａに形成されていればよい。
【０１００】
しかし、第１の導電路１１３が０．１ｍｍ程度の幅の線であれば人の目で認識できる。そのため、この程度の幅の第１の導電路１１３が画面の前方にあると、画面の視認性が低下するおそれがある。第１の導電路１１３を本実施の形態のように第１のシート１１１の画像透過領域１１８の外縁に配置するか、又は第１のシート１１１の第１の導電路１１３を周辺領域１２０に配置すると、第１の導電路１１３は画面の前方に位置しないことになる。これによって、画面の視認性の低下を抑制することが可能になる。
【０１０１】
また、第２のシート１１２の画像透過領域１１９の外縁又は周辺領域１２１に、第２の導電路１１４及び複数の押圧検知用導電路１１５ａ〜１１５ｉを配置することで、第１の導電路１１３と同様に、画面の視認性の低下を抑制することが可能になる。
【０１０２】
実施の形態２．
本実施の形態に係るタッチパネル２０６では、正面図である図１４に示すように、第１の導電路２１３、第２の導電路２１４及び押圧検知用導電路２１５ａ〜２１５ｐが設けられる範囲が実施の形態１に係るタッチパネル１０６と異なる。
【０１０３】
詳細には、同図に示すように、第１の導電路２１３及び第２の導電路２１４はいずれも、画像透過領域１１８，１１９を囲むように、すなわち画像透過領域１１８，１１９の外縁のほぼ全体に沿って設けられる。押圧検知用導電路２１５ａ〜２１５ｐは、画像透過領域１１８，１１９の外縁の４辺のそれぞれに沿う方向において、ほぼ等間隔に設けられる。また、スペーサ２１６ａ〜２１６ｐ，２１７ａ〜２１７ｐが、同図に示すように、押圧検知用導電路２１５ａ〜２１５ｐに対応付けて設けられる。その他の構成において、タッチパネル２０６と、実施の形態１に係るタッチパネル１０６とは同様である。
【０１０４】
本実施の形態では、第１の導電路２１３及び第２の導電路２１４が、画像透過領域１１８，１１９を囲むように設けられる。そのため、図１４に示すように、感圧領域２０５ａ〜２１５ｐを画像透過領域１１８，１１９の外縁に沿って、設けることができる。従って、実施の形態１のタッチパネル１０６より多くの感圧領域２０５ａ〜２０５ｐを設けることが可能になる。
【０１０５】
実施の形態３．
実施の形態１では、第１の導電路１１３及び第２の導電路１１４が、画像透過領域１１８，１１９の外縁の下辺及び右辺に沿って一直線に、すなわち、画像透過領域１１８，１１９の外縁と平行に設けられる例を説明した。本実施の形態では、第１の導電路及び第２の導電路が、屈曲して設けられる例を説明する。
【０１０６】
詳細には、本実施の形態に係るタッチパネル３０６では、正面図である図１５に示すように、第１の導電路３１３と第２の導電路３１４のそれぞれが設けられる。その他の構成において、タッチパネル３０６と、実施の形態１に係るタッチパネル１０６とは同様である。
【０１０７】
第１の導電路３１３と第２の導電路３１４のそれぞれは、前方から見て、実施の形態１に係る第１の導電路１１３と第２の導電路１１４と同様に、画像透過領域１１８，１１９の外縁の下辺及び右辺に沿って設けられる。
【０１０８】
本実施の形態に係る第１の導電路３１３と第２の導電路３１４は、実施の形態１に係る第１の導電路１１３と第２の導電路１１４とは異なり、前方から見て、画像透過領域１１８，１１９の外縁に沿って屈曲している。ここで、「屈曲」とは、折れ曲がっていること、すなわち角を作るように急激に曲がっていることをいう。
【０１０９】
本実施の形態によれば、実施の形態１と同様に、感圧領域１０５ａ〜１０５ｉが押圧されると、押圧された感圧領域１０５ａ〜１０５ｉに対応する押圧検知用導電路１１５ａ〜１１５ｉと、第１の導電路３１３とが電気的に接触する。これによって、第１の導電路３１３と、第２の導電路３１４と、押圧された感圧領域１０５ａ〜１０５ｉに対応する押圧検知用導電路１１５ａ〜１１５ｉとにより電気回路が形成される。
【０１１０】
本実施の形態では第１の導電路３１３が屈曲し、押圧検知用導電路１１５ａ〜１１５ｉの各々が第２の導電路３１４の異なる位置に接続し、かつ、第２の導電路３１４が屈曲している。そのため、押圧された感圧領域１０５ａ〜１０５ｉごとに形成される電気回路の経路の長さの違いは、実施の形態１の場合よりも大きい。その結果、押圧される感圧領域１０５ａ〜１０５ｉごとに、形成される電気回路の抵抗値の違いも大きくなる。従って、感圧領域１０５ａ〜１０５ｉのいずれが押圧されたかを、実施の形態１よりも正確に決定することが可能になる。
【０１１１】
実施の形態４．
実施の形態３に係るタッチパネル３０６では第１の導電路３１３と第２の導電路３１４とがいずれも、前方から見て、画像透過領域１１８，１１９の外縁に沿って屈曲している例により説明した。
【０１１２】
本実施の形態に係るタッチパネル４０６では、正面図である図１６に示すように、第１の導電路４１３と第２の導電路４１４とがいずれも、前方から見て、画像透過領域１１８，１１９の外縁に沿って湾曲している。その他の構成において、タッチパネル４０６と、実施の形態３に係るタッチパネル３０６とは同様である。
【０１１３】
ここで、「湾曲」とは、弓なりに折れ曲がっていること、すなわち角を作らないように緩やかに曲がっていることをいう。
【０１１４】
本実施の形態では、実施の形態３と同様に、押圧された感圧領域１０５ａ〜１０５ｉごとに形成される電気回路の長さの違いは、実施の形態１の場合よりも大きい。その結果、押圧される感圧領域１０５ａ〜１０５ｉごとに、形成される電気回路の抵抗値の違いも大きくなる。従って、感圧領域１０５ａ〜１０５ｉのいずれが押圧されたかを、実施の形態１よりも正確に決定することが可能になる。
【０１１５】
なお、第１の導電路３１３，４１３が、前方から見て、少なくとも１組の隣接する押圧検知用導電路１１５ａ〜１１５ｉの間で屈曲又は湾曲していればよい。これによれば、その隣接する押圧検知用導電路１１５ａ〜１１５ｉに対応する感圧領域１０５ａ〜１０５ｉが押圧されると、それによって形成される電気回路の長さ、すなわち抵抗値の違いは、実施の形態１の場合よりも大きくなる。その隣接する押圧検知用導電路１１５ａ〜１１５ｉに対応する感圧領域１０５ａ〜１０５ｉのいずれが押圧されたかを、実施の形態１よりも正確に決定することが可能になる。
【０１１６】
また、第２の導電路３１４，４１４が、前方から見て、隣接し、かつ、第２の導電路３１４，４１４の異なる位置に接続する少なくとも１組の押圧検知用導電路１１５ａ〜１１５ｉの間で屈曲又は湾曲していればよい。これによれば、その隣接する押圧検知用導電路１１５ａ〜１１５ｉに対応する感圧領域１０５ａ〜１０５ｉが押圧されると、それによって形成される電気回路の長さ、すなわち抵抗値の違いは、実施の形態１の場合よりも大きくなる。その隣接する押圧検知用導電路１１５ａ〜１１５ｉに対応する感圧領域１０５ａ〜１０５ｉのいずれが押圧されたかを、実施の形態１よりも正確に決定することが可能になる。
【０１１７】
さらに、押圧検知用導電路１１５ａ〜１１５ｉの各々が前方から見て屈曲又は湾曲している場合も、実施の形態３，４と同様に、感圧領域１０５ａ〜１０５ｉのいずれが押圧されたかを正確に決定することが可能になる。
【０１１８】
実施の形態５．
本実施の形態に係るタッチパネル５０６は、その下部を示す正面図である図１７に示すように、第１の導電路５１３と、第２の導電路５１４と、複数の押圧検知用導電路５１５ａ〜５１５ｅを備える。
【０１１９】
第１の導電路５１３と第２の導電路５１４とはいずれも、実施の形態３に係る第１の導電路３１３と第２の導電路３１４と同様に、前方から見て、画像透過領域１１８，１１９の外縁に沿って屈曲して設けられている。そのため、第１の導電路５１３は、前方から見て、画像透過領域１１８，１１９の外縁に沿って、中央に向かって突き出す凸部５３４と、中央に向かって陥没した(中央から離間する）凹部５３５とを有する。
【０１２０】
複数の押圧検知用導電路５１５ａ〜５１５ｅは、実施の形態の押圧検知用導電路１１５ａ〜１１５ｄに代えて、第２の導電路５１４が画像透過領域１１９の下辺に沿う部分に電気的に接続する。そして、複数の押圧検知用導電路５１５ａ〜５１５ｅの各々は、前方から見て、凸部５３４と凹部５３５に交互に重なるように設けられる。凸部５３４と重なる押圧検知用導電路５１５ａ，５１５ｃ，５１５ｅは、凹部５３５と重なる押圧検知用導電路５１５ｂ，５１５ｄよりも短い。
【０１２１】
また、スペーサ５１６ａ〜５１６ｅ，５１７ａ〜５１７ｅが、同図に示すように、押圧検知用導電路５１５ａ〜５１５ｅに対応付けて設けられる。その他の構成において、タッチパネル５０６と、実施の形態３に係るタッチパネル３０６とは同様である。
【０１２２】
本実施の形態によれば、図１７に示すように、画像透過領域１１８，１１９の外縁（本実施の形態では、その下辺）に沿って２列の感圧領域５０５ａ〜５０５ｅを設定することができる。これにより、押圧された領域を簡易な構成で検出することが可能であり、かつ、同じ大きさの画面であっても多くの感圧領域５０５ａ〜５０５ｅを設けることが可能になる。
【０１２３】
実施の形態６．
実施の形態１では、押圧検知用導電路１１５ａ〜１１５ｉが、第２の導電路１１４の異なる位置に電気的に接続する例により説明した。本実施の形態では、複数の押圧検知用導電路が、第２の導電路１１４に電気的に接続する態様が異なる。
【０１２４】
本実施の形態に係るタッチパネル６０６は、正面図である図１８に示すように、押圧検知用導電路６１５ａ〜６１５ｉと、押圧検知用導電路６１５ａ〜６１５ｉのそれぞれに対応付けられたスペーサ６１６ａ〜６１６ｉとを備える。その他の構成において、タッチパネル６０６と、実施の形態１に係るタッチパネル１０６とは同様である。
【０１２５】
押圧検知用導電路６１５ａ〜６１５ｉは、画像透過領域１１８，１１９の下辺に沿った第２の導電路１１４に共通の箇所６３６で接続している。
【０１２６】
押圧検知用導電路６１５ｅ〜６１５ｉは、画像透過領域１１８，１１９の右辺に沿った第２の導電路１１４に共通の箇所６３７で接続している。詳細には、押圧検知用導電路６１５ｅ，６１５ｇ，６１５ｉは、接続箇所６３７に直接に接続している。押圧検知用導電路６１５ｆ，６１５ｈは、直接には押圧検知用導電路６１５ｇに接続し、押圧検知用導電路６１５ｇを介して接続箇所６３７で第２の導電路１１４に接続している。
【０１２７】
本実施の形態によれば、第１のシート１１１には第１の導電路１１３を設ければよく、第２のシート１１２に第２の導電路１１４と複数の押圧検知用導電路１１５ａ〜１１５ｉとを設ければよい。すなわち、第１のシート１１１と第２のシート１１２のいずれにも、透明導電膜を設ける必要がない。そのため、実施の形態１と同様に、タッチパネル自体の構成を簡易化することができる。
【０１２８】
また、本実施の形態によれば、第１の導電路１１３に予め定められた電圧を印加しておけばよい。そして、マイコン１０９のＡ／Ｄ入力ポート１２４に入力する入力信号の電圧を測定することによって、感圧領域のいずれが押圧されたかを決定することができる。これらにより、実施の形態１と同様に、押圧された感圧領域１０５ａ〜１０５ｉを検出するための構成も簡易化することができる。
【０１２９】
従って、実施の形態１と同様に、押圧された感圧領域１０５ａ〜１０５ｉを簡易な構成で検出することが可能になる。
【０１３０】
実施の形態７．
本実施の形態に係るタッチパネル７０６では、正面図である図１９に示すように正面から見て、複数のスペーサ７１６ａ〜７１６ｒ，７１７ａ〜７１７ｒ，７３８ａ〜７３８ｋが設けられる位置及び数が実施の形態１に係るタッチパネル１０６と異なる。その他の構成において、タッチパネル７０６と、実施の形態１に係るタッチパネル１０６とは同様である。
【０１３１】
詳細には、複数のスペー７１６ａ〜７１６ｒ，７１７ａ〜７１７ｒ，７３８ａ〜７３８ｋは、第１のシート１１１と第２のシート１１２の間に設けられる。
【０１３２】
スペーサ７１６ａ〜７１６ｒは、図１９に示すように前方から見て、第１の導電路１１３と第２の導電路１１４との間であって、押圧検知用導電路１１５ａ〜１１５ｉの各々の左と右とに設けられる。
【０１３３】
スペーサ７１７ａ〜７１７ｒは、図１９に示すように前方から見て、画像透過領域１１８，１１９の内部であって、押圧検知用導電路１１５ａ〜１１５ｉの各々が延びる方向にある各領域に２つ設けられる。
【０１３４】
スペーサ７３８ａ〜７３８ｋは、図１９に示すように前方から見て、画像透過領域１１８，１１９の内部に設けられる。スペーサ７３８ａ〜７３８ｋは、感圧領域１０５ａ〜１０５ｉの間に設けられる。スペーサ７３８ａ〜７３８ｋは、感圧領域１０５ａ〜１０５ｉが並ぶ方向の両端の外側に設けられる。
【０１３５】
なお、複数のスペーサ７１６ａ〜７１６ｒ，７１７ａ〜７１７ｒ，７３８ａ〜７３８ｋは、実施の形態１及び本実施の形態で説明した位置又は数に限らず、適宜設けられてもよい。
【０１３６】
スペーサ７１６ａ〜７１６ｒによって、実施の形態１に係るスペーサ１１６ａ〜１１６ｉと同様に、押圧検知用導電路１１５ａ〜１１５ｉと第１の導電路１１３との間隙を維持することができる。従って、押圧検知用導電路１１５ａ〜１１５ｉと第１の導電路１１３とが、感圧領域１０５ａ〜１０５ｉが押圧されていない状態で電気的に接触することを確実に防ぐことが可能になる。
【０１３７】
スペーサ７１７ａ〜７１７ｒによって、実施の形態１に係るスペーサ１１７ａ〜１１７ｉと同様に、感圧領域１０５ａ〜１０５ｉが押圧されていない状態で、感圧領域１０５ａ〜１０５ｉにおいて前後に対向する第２のシート１１２と第１のシート１１１との間隙を維持することができる。従って、感圧領域１０５ａ〜１０５ｉのいずれかが押圧された場合に、押圧された感圧領域１０５ａ〜１０５ｉに対応する押圧検知用導電路１１５ａ〜１１５ｉを、第２のシート１１２とともに確実に撓ませて第１の導電路１１３に電気的に接触させることが可能になる。
【０１３８】
スペーサ７３８ａ〜７３８ｋによれば、感圧領域１０５ａ〜１０５ｉが押圧されていない状態で、感圧領域１０５ａ〜１０５ｉにおいて前後に対向する第２のシート１１２と第１のシート１１１との間隙を維持することができる。従って、感圧領域１０５ａ〜１０５ｉのいずれかが押圧された場合に、押圧された感圧領域１０５ａ〜１０５ｉに対応する押圧検知用導電路１１５ａ〜１１５ｉを、第２のシート１１２とともに確実に撓ませて第１の導電路１１３に電気的に接触させることが可能になる。
【０１３９】
また、スペーサ７３８ａ〜７３８ｋによれば、隣接する感圧領域１０５ａ〜１０５ｉの一方が押圧された場合に、それに伴って他方の感圧領域１０５ａ〜１０５ｉに対応するが第２のシート１１２が撓むことを防止することができる。従って、感圧領域１０５ａ〜１０５ｉのいずれかが押圧された場合に、押圧された感圧領域１０５ａ〜１０５ｉに対応する押圧検知用導電路１１５ａ〜１１５ｉを、第２のシート１１２とともに確実に撓ませて第１の導電路１１３に電気的に接触させることが可能になる。
【０１４０】
実施の形態８．
本実施の形態に係るタッチパネル８０６は、図２０に示すように、実施の形態１に係る第１シート１１１に代えて、第１シート８１１を備える。本実施の形態に係る第１シート８１１は、複数の押圧検知補助導電路８３９ａ〜８３９ｉをさらに備え（図２０参照）、かつ、スペーサ１１６ａ〜１１６ｉに代わる絶縁層８４０（図２２参照）を備えることを除いて、実施の形態１に係る第１シート１１１と概ね同様に構成される。
【０１４１】
押圧検知補助導電路８３９ａ〜８３９ｉの各々は、感圧領域１０５ａ〜１０５ｉのいずれが押圧されたかを検知するために、第１の主面１２２ａに形成された線状又は帯状の導電性の部位である。押圧検知補助導電路８３９ａ〜８３９ｉは、それぞれ、押圧検知用導電路１１５ａ〜１１５ｉに対応付けて設けられており、第１の導電路１１３に電気的に接続している。
【０１４２】
詳細には、押圧検知補助導電路８３９ａ〜８３９ｉの各々は、図２１に示すように、前方から見た場合（すなわち、第１のシート１１１と第２のシート１１２とを対向させたものの法線方向から見た場合）、第１の導電路１１３が押圧検知用導電路１１５ａ〜１１５ｉの各々とが交差する箇所から、複数の押圧検知用導電路１１５ａ〜１１５ｉのそれぞれに対応付けられた感圧領域１０５ａ〜１０５ｉへ向けて延びる。複数の押圧検知補助導電路８３９ａ〜８３９ｉは、それぞれ、前方から見た場合、複数の押圧検知用導電路１１５ａ〜１１５ｉと重なり合う部分を含む。
【０１４３】
ここで、「重なり合う部分を含む」とは、例えば押圧検知用導電路１１５ａと押圧検知補助導電路８３９ａとについて前方から見た場合、押圧検知用導電路１１５ａと押圧検知補助導電路８３９ａの各々の一部が互いに重なり合うこと、押圧検知用導電路１１５ａの一部と押圧検知補助導電路８３９ａの全体とが互いに重なり合うことなどを含む。対応する押圧検知用導電路１１５ｂ〜１１５ｉと押圧検知補助導電路８３９ｂ〜８３９ｉとについても、同様である。
【０１４４】
なお、押圧検知補助導電路８３９ａ〜８３９ｉは、押圧検知用導電路１１５ａ〜１１５ｉに対応付けて設けられればよく、従って例えば、押圧検知用導電路１１５ａが１つである場合、押圧検知補助導電路８３９ａも１つであってよい。
【０１４５】
絶縁層８４０は、断面図である図２２に示すように、第１のシート８１１と第２のシート１１２との間に設けられる。絶縁層８４０は、感圧領域１０５ａ〜１０５ｉが押圧されていない場合に、押圧検知用導電路１１５ａ〜１１５ｉと第１の導電路１１３とが離間する（すなわち、電気的に接続しない）ように設けられればよい。本実施の形態では、図２２に示すように、第１のシート８１１と第２のシート１１２とのそれぞれの周辺領域１２０，１２１の間に設けられており、これによって、第１の導電路１１３と押圧検知用導電路１１５ａ〜１１５ｉとを電気的に絶縁する。絶縁層８４０は、第１のシート８１１と第２のシート１１２とを接着する機能を兼ね備えてもよい。
【０１４６】
なお、スペーサ１１６ａ〜１１６ｉに代えて絶縁層８４０を備える構成は、他の実施の形態などにおいても採用され得る。
【０１４７】
本実施の形態に係るタッチパネル８０６において、感圧領域１０５ａ〜１０５ｉのいずれかが押圧されると、押圧された感圧領域１０５ａ〜１０５ｉが下方に凹む。図２３に、感圧領域１０５ｂが押圧された場合の断面図を示す。これにより、押圧された感圧領域１０５ａ〜１０５ｉに対応する押圧検知用導電路１１５ａ〜１１５ｉと押圧検知補助導電路８３９ａ〜８３９ｉとが電気的に接続する。これによって、第１の導電路１１３と、押圧された感圧領域１０５ａ〜１０５ｉに対応する押圧検知補助導電路８３９ａ〜８３９ｉ及び押圧検知用導電路１１５ｂと、第２の導電路１１４とにより電気回路が構成され、実施の形態１に係るタッチパネル１０６の場合と同様に、この電気回路には電流が流れる。そのため、感圧領域１０５ａ〜１０５ｉの押圧により形成された電気回路に電流が流れ、Ａ／Ｄ入力ポート１２４へ入力信号が入力される。図２４に、感圧領域１０５ｂが押圧された場合に構成される電気回路に流れる電流を矢印８３２で示す。
【０１４８】
その他のタッチパネル８０６の動作は、実施の形態１に係るタッチパネル１０６の動作と概ね同様である。
【０１４９】
本実施の形態に係るタッチパネル８０６の製造方法について、説明する。
【０１５０】
図２５（ａ）及び（ｂ）に示すように、実施の形態１に係るタッチパネル１０６と同様に、第１のシート８１１が準備され、第１の導電路１１３が第１のシート８１１の第１の主面１２２ａに設けられる。
【０１５１】
図２５（ｃ）に示すように、押圧検知補助導電路８３９ａ〜８３９ｉと、実施の形態１と同様のスペーサ１１７ａ〜１１７ｉとが、第１のシート８１１の第１の主面１２２ａに設けられる。押圧検知補助導電路８３９ａ〜８３９ｉは、それぞれ、押圧検知用導電路１１５ａ〜１１５ｉと重なり合う部分を含むように、予め定められた位置に設けられる。本実施の形態では、押圧検知補助導電路８３９ａ〜８３９ｉの各々は、対応する押圧検知用導電路１１５ａ〜１１５ｉと平行な線状に設けられる。
【０１５２】
そして、実施の形態１と同様に、第２の導電路１１４と複数の押圧検知用導電路１１５ａ〜１１５ｉとが、第２のシート１１２に設けられる。
【０１５３】
第１の導電路１１３、複数の押圧検知補助導電路８３９ａ〜８３９ｉ及び複数のスペーサ１１７ａ〜１１７ｉが設けられた第１のシート８１１と、第２の導電路１１４及び複数の押圧検知用導電路１１５ａ〜１１５ｉが設けられた第２のシート１１２とは、第１の主面１２２ａと第２の主面１２３ａとを対向させて固定される。このとき、第１のシート８１１と第２のシート１１２とは、画像透過領域１１８と画像透過領域１１９とが前後に重なり合うように配置される。また、固定には、例えば、第１の主面１２２ａ及び第２の主面１２３ａのそれぞれの周辺領域１２０，１２１に設けられた接着剤、両面テープなどの絶縁層８４０が適用される。これにより、本実施の形態に係るタッチパネル８０６が製造される。
【０１５４】
本実施の形態によれば、実施の形態１と同様の効果に加えて、下記の効果を奏する。
【０１５５】
複数の押圧検知補助導電路８３９ａ〜８３９ｉが、それぞれ、前方から見た場合に複数の押圧検知用導電路１１５ａ〜１１５ｉと重なり合う部分を含むように設けられる。そのため、感圧領域１０５ａ〜１０５ｉのいずれかが押圧されると、押圧された感圧領域１０５ａ〜１０５ｉに対応する押圧検知補助導電路８３９ａ〜８３９ｉ及び押圧検知用導電路１１５ａ〜１１５ｉとを確実に接触されることができる。その結果、感圧領域１０５ａ〜１０５ｉが押圧されると、第１の導電路１１３と、押圧された感圧領域１０５ａ〜１０５ｉに対応する押圧検知補助導電路８３９ａ〜８３９ｉ及び押圧検知用導電路１１５ａ〜１１５ｉと、第２の導電路１１４とから構成される電気回路を、確実に形成することができる。従って、押圧された領域を簡易な構成で検出することが可能になる。
【０１５６】
ここで、図２６〜図２８に示すように、前方から見た場合に、押圧検知補助導電路８３９ａ〜８３９ｉの各々は、三角形の押圧検知補助導電路８４１、楕円形の押圧検知補助導電路８４２、先端に円形部分を有する線状の押圧検知補助導電路８４３などであってもよい。
【０１５７】
しかし、本実施の形態のように、押圧検知補助導電路８３９ａ〜８３９ｉを帯状又は線状にすることによって、表示部１０４の画面に被さる領域が狭くなるので、画面の視認性の低下を抑制することができる。このような観点から、押圧検知補助導電路８３９ａ〜８３９ｉは、押圧検知用導電路１１５ａ〜１１５ｉとともに、細い線状であることが望ましい。
【０１５８】
実施の形態９．
実施の形態３，４などでは、第１の導電路３１３，４１３と第２の導電路３１４，４１４などが屈曲又は湾曲している例を説明した。これらの実施の形態では、上述のように、屈曲又は湾曲した第１の導電路３１３，４１３、第２の導電路３１４，４１４などが、感圧領域１０５ａ〜１０５ｉのいずれかが押圧された際に形成される電気回路の抵抗値を、実施の形態１における場合よりも増大させる抵抗部として機能する。
【０１５９】
本実施の形態に係るタッチパネル９０６では、図２９に示すように、前方から見て（すなわち、第１のシート８１１と第２のシート１１２とを対向させたものの法線方向から見て）、第１の導電路１１３が、複数の押圧検知補助導電路８３９ａ〜８３９ｉの互いに隣接する各組の間に、抵抗部としての抵抗９４４ａ〜９４４ｈを含む。
【０１６０】
抵抗９４４ａ〜９４４ｈは、例えば、印刷により形成されるカーボンなどを材料とする抵抗である。
【０１６１】
なお、抵抗９４４ａ〜９４４ｈは、前方から見て、複数の押圧検知補助導電路８３９ａ〜８３９ｉのうち互いに隣接する少なくとも１組の間に設けられればよい。
【０１６２】
また、図２９は、実施の形態８に係るタッチパネル８０６に抵抗９４４ａ〜９４４ｈが設けられた例を示すが、本実施の形態に係る抵抗９４４ａ〜９４４ｈは、実施の形態１に係るタッチパネル１０６などにも採用され得る。この場合、抵抗９４４ａ〜９４４ｈは、前方から見て、複数の押圧検知用導電路１１５ａ〜１１５ｉのうち互いに隣接する少なくとも１組の間に設けられればよい。
【０１６３】
本実施の形態及びその変形例によれば、実施の形態３，４などと概ね同様に、押圧される感圧領域１０５ａ〜１０５ｉに応じて、形成される電気回路の抵抗値が異なるものとなる。従って、感圧領域１０５ａ〜１０５ｉのいずれが押圧されたかを、実施の形態１よりも正確に決定することが可能になる。
【０１６４】
実施の形態１０．
実施の形態９では、第１の導電路１１３のみに抵抗９４４ａ〜９４４ｈが設けられる例を説明した。
【０１６５】
本実施の形態に係るタッチパネル１００６では、実施の形態９に係るタッチパネル９０６の構成に加えて、図３０に示すように、第２の導電路１１４にも抵抗１０４５ａ〜１０４５ｈが設けられる。
【０１６６】
すなわち、第２の導電路１１４が、図３０に示すように、前方から見て（すなわち、第１のシート８１１と第２のシート１１２とを対向させたものの法線方向から見て）、複数の押圧検知用導電路１１５ａ〜１１５ｉの互いに隣接する各組の間に、抵抗部としての抵抗１０４５ａ〜１０４５ｈを含む。
【０１６７】
抵抗１０４５ａ〜１０４５ｈは、実施の形態９に係る抵抗９４４ａ〜９４４ｈと同様に、例えば、印刷により形成されるカーボンなどを材料とする抵抗である。
【０１６８】
なお、抵抗１０４５ａ〜１０４５ｈは、前方から見て、複数の押圧検知用導電路１１５ａ〜１１５ｉのうち互いに隣接する少なくとも１組の間に設けられればよい。
【０１６９】
また、図３０は、実施の形態９に係るタッチパネル９０６に抵抗１０４５ａ〜１０４５ｈが設けられた例を示すが、本実施の形態に係る抵抗１０４５ａ〜１０４５ｈは、実施の形態１に係るタッチパネル１０６、実施の形態８に係るタッチパネル８０６などにも採用され得る。
【０１７０】
本実施の形態及びその変形例によれば、実施の形態３，４などと概ね同様に、押圧される感圧領域１０５ａ〜１０５ｉに応じて、形成される電気回路の抵抗値が異なるものとなる。従って、感圧領域１０５ａ〜１０５ｉのいずれが押圧されたかを、実施の形態１よりも正確に決定することが可能になる。
【０１７１】
抵抗９４４ａ〜９４４ｈは、例えば、印刷により形成されるカーボンなどを材料とする抵抗である。
【０１７２】
なお、抵抗９４４ａ〜９４４ｈは、前方から見て、複数の押圧検知補助導電路８３９ａ〜８３９ｉのうち互いに隣接する少なくとも１組の間に設けられればよい。
【０１７３】
また、図２９は、実施の形態８に係るタッチパネル８０６に抵抗９４４ａ〜９４４ｈが設けられた例を示すが、本実施の形態に係る抵抗９４４ａ〜９４４ｈは、実施の形態１に係るタッチパネル１０６などにも採用され得る。この場合、抵抗９４４ａ〜９４４ｈは、前方から見て、複数の押圧検知用導電路１１５ａ〜１１５ｉのうち互いに隣接する少なくとも１組の間に設けられればよい。
【０１７４】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【０１７５】
本出願は、２０１４年３月１８日に出願された、国際出願ＰＣＴ／ＪＰ２０１４／５７３７０号に基づく。本明細書中に国際出願ＰＣＴ／ＪＰ２０１４／５７３７０号の明細書、請求の範囲、図面全体を参照として取り込むものとする。
【産業上の利用可能性】
【０１７６】
本発明は、各種の電気機器、装置などに採用されるタッチパネル、入力装置又はリモコン装置に利用することができる。また、本発明は、そのようなタッチパネルの製造方法に利用することができる。
【符号の説明】
【０１７７】
１００  リモコン装置、１０２  空調機、１０４  表示部、１０５ａ〜１０５ｉ，２０５ａ〜２０５ｐ，５０５ａ〜５０５ｅ  感圧領域、１０６，２０６，３０６，４０６，５０６，６０６，７０６，８０６，９０６，１００６  タッチパネル、１０８  電源、１０９  マイコン、１１１  第１のシート、１１２  第２のシート、１１３，２１３，３１３，４１３，５１３  第１の導電路、１１４，２１４，３１４，４１４，５１４  第２の導電路、１１５ａ〜１１５ｉ，２１５ａ〜２１５ｐ，５１５ａ〜５１５ｅ，８１５ａ〜８１５ｉ  押圧検知用導電路、１１６ａ〜１１６ｉ，１１７ａ〜１１７ｉ，２１６ａ〜２１６ｐ，２１７ａ〜２１７ｐ，５１６ａ〜５１６ｅ，５１７ａ〜５１７ｅ，８１６ａ〜８１６ｉ７１６ａ〜７１６ｒ，７１７ａ〜７１７ｒ，７３８ａ〜７３８ｋ  スペーサ、１１８，１１９  画像透過領域、１２０，１２１  周辺領域、１２２ａ  第１の主面、１２３ａ  第２の主面、１２４  Ａ／Ｄ入力ポート、１２５  抵抗、１２６  制御内容データ、１２７  制御内容記憶部、１２８  入力信号制御部、１２９  機器制御部、１３０  表示制御部、１３１  入力装置、５３４  凸部、５３５  凹部、８３９ａ〜８３９ｉ，８４１，８４２，８４３  押圧検知補助導電路、９４４ａ〜９４４ｈ，１０４５ａ〜１０４５ｈ  抵抗。
【図１】
0006053986.tif 000002
【図２】
0006053986.tif 000003
【図３】
0006053986.tif 000004
【図４】
0006053986.tif 000005
【図５】
0006053986.tif 000006
【図６】
0006053986.tif 000007
【図７】
0006053986.tif 000008
【図８】
0006053986.tif 000009
【図９】
0006053986.tif 000010
【図１０】
0006053986.tif 000011
【図１１】
0006053986.tif 000012
【図１２】
0006053986.tif 000013
【図１３】
0006053986.tif 000014
【図１４】
0006053986.tif 000015
【図１５】
0006053986.tif 000016
【図１６】
0006053986.tif 000017
【図１７】
0006053986.tif 000018
【図１８】
0006053986.tif 000019
【図１９】
0006053986.tif 000020
【図２０】
0006053986.tif 000021
【図２１】
0006053986.tif 000022
【図２２】
0006053986.tif 000023
【図２３】
0006053986.tif 000024
【図２４】
0006053986.tif 000025
【図２５】
0006053986.tif 000026
【図２６】
0006053986.tif 000027
【図２７】
0006053986.tif 000028
【図２８】
0006053986.tif 000029
【図２９】
0006053986.tif 000030
【図３０】
0006053986.tif 000031